(57)【要約】      （修正有）【課題】オーディオアンプの構造によって直接支持することができる無線信号伝送装置及びこれを備えた音響システムを提供する。【解決手段】無線信号伝送装置１０ａがオーディオアンプ２０に接続するために用いられ、そのうち、オーディオアンプ２０が信号受信接続孔２１と信号送信接続孔２２を備え、無線信号伝送装置１０ａが、基板１１と、基板１１上に設置され、オーディオ信号の送信または受信に用いられるアンテナ１２と、が基板１１上に設置され、かつアンテナ１２に電気的に接続され、オーディオ信号の送信または受信の制御に用いられる制御モジュール１３と、制御モジュール１３に電気的に接続され、かつオーディオアンプ２０の接続孔２１，２２と直接接続され、オーディオ信号の伝送に用いられる信号伝送ポート１４ａ，１５ａを含み、そのうち、基板１１が信号伝送ポート１４ａ，１５ａとオーディオアンプ２０の接続孔２１，２２の連結によって、接続孔２１，２２において支持される。【選択図】図１
0003197929.tif 000002
【実用新案登録請求の範囲】
【請求項１】
オーディオアンプに接続するために用いる無線信号伝送装置であって、前記オーディオアンプが少なくとも１つの接続孔を備え、前記無線信号伝送装置が、
基板と、
前記基板上に設置され、オーディオ信号の送信または受信に用いるアンテナと、
前記基板上に設置され、かつ前記アンテナと電気的に接続され、前記オーディオ信号の送信または受信を制御するために用いる制御モジュールと、
前記制御モジュールに電気的に接続され、かつ前記オーディオアンプの前記少なくとも１つの接続孔に直接接続され、前記オーディオ信号の伝送に用いる少なくとも１つの信号伝送ポートと、を含み、
そのうち、前記無線信号伝送装置が前記少なくとも１つの信号伝送ポートと前記オーディオアンプの前記少なくとも１つの接続孔の連結によって、前記少なくとも１つの接続孔において支持されることを特徴とする、無線信号伝送装置。
【請求項２】
前記オーディオアンプが信号受信接続孔と信号送信接続孔を備え、前記無線信号伝送装置がさらに、
前記制御モジュールに電気的に接続され、かつ前記オーディオアンプの前記信号受信接続孔に直接接続され、前記オーディオ信号を前記オーディオアンプに伝送するために用いる第１信号伝送ポートと、
前記制御モジュールに電気的に接続され、かつ前記オーディオアンプの前記信号送信接続孔に直接接続され、前記オーディオアンプから前記オーディオ信号を受信するために用いる第２信号伝送ポートと、を含み、
そのうち、前記無線信号伝送装置が前記第１信号伝送ポートまたは前記第２信号伝送ポートのうち少なくとも１つの伝送ポートにより、前記オーディオアンプの前記信号受信接続孔または前記信号送信接続孔のうち少なくとも１つの接続孔に連結されて支持されることを特徴とする、請求項１に記載の無線信号伝送装置。
【請求項３】
レールを含み、前記第１信号伝送ポートが前記レール上に設置され、前記第１信号伝送ポートを摺動させることができることを特徴とする、請求項２に記載の無線信号伝送装置。
【請求項４】
前記第１信号伝送ポートと前記第２信号伝送ポートのいずれかがフレキシブルケーブルを備えたオスコネクタであることを特徴とする、請求項2に記載の無線信号伝送装置。
【請求項５】
前記第１信号伝送ポートまたは前記第２信号伝送ポートのいずれかが硬性のオス・オスコネクタにより前記オーディオアンプの前記信号受信接続孔または前記信号送信接続孔に接続されることを特徴とする、請求項2に記載の無線信号伝送装置。
【請求項６】
無線信号伝送装置を備えた音響システムであって、
少なくとも１つの接続孔を備えたオーディオアンプと、
前記オーディオアンプに電気的に接続するために用いられる無線信号伝送装置と、を含み、記無線信号伝送装置が、
基板と、
前記基板上に設置され、オーディオ信号の送信または受信に用いるアンテナと、
前記基板上に設置され、かつ前記アンテナと電気的に接続され、前記オーディオ信号の送信または受信を制御するために用いる制御モジュールと、
前記制御モジュールに電気的に接続され、かつ前記オーディオアンプの前記少なくとも１つの接続孔に直接接続され、前記オーディオ信号の伝送に用いる少なくとも１つの信号伝送ポートと、を含み、
そのうち、前記無線信号伝送装置が前記少なくとも１つの信号伝送ポートと前記オーディオアンプの前記少なくとも１つの接続孔の連結によって、前記少なくとも１つの接続孔において支持されることを特徴とする、無線信号伝送装置を備えた音響システム。
【請求項７】
前記オーディオアンプが信号受信接続孔と信号送信接続孔を備え、前記無線信号伝送装置がさらに、
前記制御モジュールに電気的に接続され、かつ前記オーディオアンプの前記信号受信接続孔に直接接続され、前記オーディオ信号を前記オーディオアンプに伝送するために用いる第１信号伝送ポートと、
前記制御モジュールに電気的に接続され、かつ前記オーディオアンプの前記信号送信接続孔に直接接続され、前記オーディオアンプから前記オーディオ信号を受信するために用いる第２信号伝送ポートと、を含み、
そのうち、前記無線信号伝送装置が前記第１信号伝送ポートまたは前記第２信号伝送ポートのうち少なくとも１つの伝送ポートにより、前記オーディオアンプの前記信号受信接続孔または前記信号送信接続孔のうち少なくとも１つの接続孔に連結されて支持されることを特徴とする、請求項１１に記載の無線信号伝送装置を備えた音響システム。
【請求項８】
前記無線信号伝送装置がさらにレールを含み、前記第１信号伝送ポートが前記レール上に設置され、前記第１信号伝送ポートを摺動させることができることを特徴とする、請求項7に記載の無線信号伝送装置を備えた音響システム。
【請求項９】
前記第１信号伝送ポートと前記第２信号伝送ポートのいずれかがフレキシブルケーブルを備えたオスコネクタであることを特徴とする、請求項7に記載の無線信号伝送装置を備えた音響システム。
【請求項１０】
前記第１信号伝送ポートまたは前記第２信号伝送ポートのいずれかが硬性のオス・オスコネクタにより前記オーディオアンプの前記信号受信接続孔または前記信号送信接続孔に接続されることを特徴とする、請求項7に記載の無線信号伝送装置を備えた音響システム。
【考案の詳細な説明】
【技術分野】
【０００１】
本考案は無線信号伝送装置及びこの無線信号伝送装置を備えた音響システムに関し、特に、オーディオアンプにより直接支持される、無線信号伝送装置及びこれを備えた音響システムに関する。
【背景技術】
【０００２】
科学技術の進歩に伴い、現今のオーディオアンプはいずれも有線接続方式で音源のケーブルをワイヤレスの音源レシーバまたはトランスミッタに接続し、それにより音源の信号を伝送している。先行技術において、ワイヤレスの音源レシーバまたはトランスミッタは台の上に置かれ、有線方式でケーブルがオーディオアンプに接続されている。しかし、このような接続方式を利用すると、音源ケーブルが長すぎて減衰が大きくなり、リアリティが失われやすい。また、別の台の上に置くためにはそれにあわせた収納空間と適した設置高さが必要であり、ワイヤレスの音源レシーバまたはトランスミッタを適当に置いてしまうと、設置位置がワイヤレスの音源レシーバまたはトランスミッタのアンテナの発射効果に影響したり、電磁波の放射パターンが悪く、受信品質に影響を生じたりしやすく、またそれによって使用者がワイヤレスの音源レシーバまたはトランスミッタを使用する際不便であり、使用者の意欲に影響する。
【０００３】
このため、先行技術の欠点を解決した新しい無線信号伝送装置及びこれを備えた音響システムが必要である。
【考案の概要】
【考案が解決しようとする課題】
【０００４】
本考案の主な目的は、オーディオアンプの構造によって直接支持することができる無線信号伝送装置を提供することにある。
【０００５】
本考案の別の主な目的は、上述の無線信号伝送装置を備えた音響システムを提供することにある。
【課題を解決するための手段】
【０００６】
上述の目的を達するため、本考案の無線信号伝送装置は、オーディオアンプに接続するために用いられ、そのうち、オーディオアンプが少なくとも１つの接続孔を備えている。無線信号伝送装置は基板、アンテナ、制御モジュール、少なくとも１つの信号伝送ポートを含む。アンテナは基板上に設置され、オーディオ信号の送信または受信に用いられる。制御モジュールは基板上に設置され、かつアンテナに電気的に接続され、オーディオ信号の送信または受信を制御するために用いられる。少なくとも１つの信号伝送ポートは制御モジュールに電気的に接続され、かつオーディオアンプの少なくとも１つの接続孔に直接接続され、オーディオ信号を伝送するために用いられる。そのうち、基板は少なくとも１つの信号伝送ポートとオーディオアンプの少なくとも１つの接続孔の連結によって、少なくとも１つの接続孔において支持される。
【０００７】
本考案の無線信号伝送装置を備えた音響システムは、オーディオアンプと無線信号伝送装置を含む。オーディオアンプは少なくとも１つの接続孔を備えている。無線信号伝送装置はオーディオアンプに電気的に接続するために用いられる。無線信号伝送装置は基板、アンテナ、制御モジュール、少なくとも１つの信号伝送ポートを含む。アンテナは基板上に設置され、オーディオ信号の送信または受信に用いられる。制御モジュールは基板上に設置され、かつアンテナに電気的に接続され、オーディオ信号の送信または受信を制御するために用いられる。少なくとも１つの信号伝送ポートは制御モジュールに電気的に接続され、かつオーディオアンプの少なくとも１つの接続孔に直接接続され、オーディオ信号の伝送に用いられる。そのうち、基板が少なくとも１つの信号伝送ポートとオーディオアンプの少なくとも１つの接続孔の連結によって、少なくとも１つの接続孔において支持される。
【図面の簡単な説明】
【０００８】
【図１】本考案の無線信号伝送装置とオーディオアンプの組み立ての実施例１の立体図である。
【図２】本考案の無線信号伝送装置とオーディオアンプの組み立ての実施例２の立体図である。
【図３】本考案の無線信号伝送装置とオーディオアンプの組み立ての実施例３の立体図である。
【図４】本考案の無線信号伝送装置とオーディオアンプの組み立ての実施例４の立体図である。
【考案を実施するための形態】
【０００９】
以下、本考案の技術内容に対する理解を深めるため、具体的な実施例を挙げて詳細に説明する。
【実施例１】
【００１０】
以下ではまず図１の本考案の無線信号伝送装置とオーディオアンプの組み立ての実施例１を示す立体図を参照する。
【００１１】
本考案の音響システム１ａは無線信号伝送装置１０ａと、それが接続されるオーディオアンプ２０を含む。オーディオアンプ２０は音源信号の再生に用いられ、オーディオアンプ２０のパネル上には複数の接続孔を備えることができ、図１に示すオーディオアンプ２０は信号受信接続孔２１と信号送信接続孔２２を備え、かつ信号受信接続孔２１と信号送信接続孔２２はいずれもＲＣＡ端子のメスコネクタとすることができるが、本考案はこの規格に限定されない。オーディオアンプ２０はすでに現今の環境で広く応用されているため、ここではその作用方式についての説明を省略する。無線信号伝送装置１０ａは基板１１、アンテナ１２、制御モジュール１３、第１信号伝送ポート１４ａ、第２信号伝送ポート１５ａを含む。基板１１はＰＣＢ基板とすることができるが、本考案はこれに限定されない。アンテナ１２は基板１１上に設置され、オーディオ信号（例えばワイヤレス信号）の送受信に用いられる。制御モジュール１３はハードウェア、ハードウェアとファームウェアの組み合わせ、またはハードウェアとソフトウェアの組み合わせで構成したチップを利用することができ、制御モジュール１３も同様に基板１１上に設置され、かつアンテナ１２と電気的に接続されて、オーディオ信号の受信、送信、または信号変換を制御する。例えば、デジタルアナログ信号変換プロセスを実行する場合、アンテナ１２が受信したデジタル信号をオーディオアンプ２０が受信できるアナログ信号に変換するが、本考案は制御モジュール１３がこのプロセスのみを実行できることに限定されない。
【００１２】
第１信号伝送ポート１４ａと第２信号伝送ポート１５ａは制御モジュール１３に接続され、オーディオ信号の伝送に用いられる。そのうち、第１信号伝送ポート１４ａはオーディオアンプ２０の信号受信接続孔２１に直接接続され、前記オーディオ信号をオーディオアンプ２０に伝送する。第２信号伝送ポート１５ａはオーディオアンプ２０の信号送信接続孔２２に直接接続され、オーディオアンプ２０からオーディオ信号を受信する。かつ、無線信号伝送装置１０ａの基板１１は少なくとも１つの信号伝送ポート（図１に示す第１信号伝送ポート１４ａまたは第２信号伝送ポート１５ａ）により支持されてオーディオアンプ２０の少なくとも１つの接続孔（図１の信号受信接続孔２１または信号送信接続孔２２）に接続される。
【００１３】
本考案の実施例１において、第１信号伝送ポート１４ａと第２信号伝送ポート１５ａはいずれもＲＣＡ端子のオスコネクタであり、メスコネクタである信号受信接続孔２１と信号送信接続孔２２に直接挿入される。これにより、基板１１がオーディオアンプ２０の信号受信接続孔２１と信号送信接続孔２２に支持され、かつＲＣＡ端子のコネクタ規格が充分な支持力を提供できるため、基板１１をしっかりとオーディオアンプ２０の信号受信接続孔２１または信号送信接続孔２２で支持することができる。このほか、オーディオアンプ２０とアンテナ１２間は第１信号伝送ポート１４ａと第２信号伝送ポート１５ａのみを利用して直接接続されるため、使用者は無線信号伝送装置１０ａを直感的に使用でき、無線信号伝送装置１０ａの設置位置を特に考慮する必要がなく、また伝送経路が長すぎるという問題もないため、信号減衰またはリアルさが失われる問題を効果的に回避できる。
【００１４】
このほか、無線信号伝送装置１０ａはさらに切替スイッチ１６とメモリカードスロット１７を含んでもよい。切替スイッチ１６は基板１１上に設置され、使用者が無線信号伝送装置１０ａの動作を制御することができる。メモリカードスロット１７はメモリカード等のデバイス（図示しない）を挿入し、無線信号伝送装置１０ａを拡張する機能を達成できる。切替スイッチ１６とメモリカードスロット１７の作用方式は本考案の改良を要する重点ではないため、ここではその原理の説明を省略する。
【実施例２】
【００１５】
続いて、図２の本考案の無線信号伝送装置とオーディオアンプの組み立ての実施例２を示す立体図を参照する。
【００１６】
本考案の実施例２では、音響システム１ｂの無線信号伝送装置１０ｂが同様に基板１１、アンテナ１２、制御モジュール１３、第１信号伝送ポート１４ｂ、第２信号伝送ポート１５ｂ、切替スイッチ１６、メモリカードスロット１７を備えている。基板１１、アンテナ１２、制御モジュール１３、切替スイッチ１６、メモリカードスロット１７の作用方式は実施例１で述べたものと同じであるため、ここでは説明を省略する。実施例２の第１信号伝送ポート１４ｂはフレキシブルケーブルを備えたオスコネクタとすることができ、かつコネクタの角度は９０度旋回可能であり、信号受信接続孔２１に便利に接続することができる。第２信号伝送ポート１５ｂは硬質のオスコネクタであり、信号送信接続孔２２に直接接続される。これにより、基板１１は第２信号伝送ポート１５ｂを利用してオーディオアンプ２０の信号送信接続孔２２に支持され、脱落しない。
【実施例３】
【００１７】
続いて図３の本考案の無線信号伝送装置とオーディオアンプの組み立ての実施例３を示す立体図を参照する。
【００１８】
本考案の実施例３において、音響システム１ｃの無線信号伝送装置１０ｃの備える第１信号伝送ポート１４ｃと第２信号伝送ポート１５ｃの形式は前述の実施例１または実施例２と異なる。第１信号伝送ポート１４ｃと第２信号伝送ポート１５ｃはいずれもＲＣＡ端子のメスコネクタである。第１信号伝送ポート１４ｃと信号受信接続孔２１間はフレキシブルケーブル３２により接続され、第２信号伝送ポート１５ｃと信号送信接続孔２２間は硬質のオス・オスコネクタ３１で直接接続される。これにより、基板１１は第２信号伝送ポート１５ｃを利用して支持される。ここで注意が必要なのは、第１信号伝送ポート１４ｃと第２信号伝送ポート１５ｃは同時に硬性のオス・オスコネクタ３１を利用してオーディオアンプ２０に接続できる点であるが、本考案はこれに限定されない。
【実施例４】
【００１９】
最後に図４の本考案の無線信号伝送装置とオーディオアンプの組み立ての実施例４を示す立体図を参照する。
【００２０】
本考案の実施例４において、音響システム１ｄの無線信号伝送装置１０ｄが備える第１信号伝送ポート１４ｄと第２信号伝送ポート１５ｄの形式は前述の実施例と異なる。第１信号伝送ポート１４ｄと第２信号伝送ポート１５ｄはいずれもＲＣＡ端子のオスコネクタであるが、無線信号伝送装置１０ｄはさらにレール１８を備え、第１信号伝送ポート１４ｄがレール１８上に設置され、第１信号伝送ポート１４ｄを上下に摺動させることができる。これにより、無線信号伝送装置１０ｄをオーディオアンプ２０に接続するとき、信号受信接続孔２１と信号送信接続孔２２の間を隔てる距離に応じてレール１８で第１信号伝送ポート１４ｄの位置を調整することができる。
【００２１】
本考案の無線信号伝送装置１０ａ、１０ｂ、１０ｃ、１０ｄのいずれの実施例もオーディオアンプ２０の信号受信接続孔２１または信号送信接続孔２２に直接接続することができ、使用者がより直感的に利用できるだけでなく、オーディオアンプ２０の信号受信接続孔２１または信号送信接続孔２２の支持を利用して、アンテナの干渉問題を回避しながら、配線の目的を達することもできる。
【００２２】
上述をまとめると、本考案はその目的、手段、効果のいずれも従来技術とは異なる特徴を備えており、早期に実用新案登録を賜ることで、社会に恩恵をもたらすことができるように期待するものである。上述の複数の実施例は説明のために例を挙げたまでであり、本考案の主張する権利範囲は、実用新案登録請求の範囲に準じ、上述の実施例に限定されない点に注意すべきである。
【符号の説明】
【００２３】
１ａ、１ｂ、１ｃ、１ｄ    音響システム
１０ａ、１０ｂ、１０ｃ、１０ｄ    無線信号伝送装置
１１      基板
１２      アンテナ
１３      制御モジュール
１４ａ、１４ｂ、１４ｃ、１４ｄ    第１信号伝送ポート
１５ａ、１５ｂ、１５ｃ、１５ｄ    第２信号伝送ポート
１６      切替スイッチ
１７      メモリカードスロット
１８      レール
２０      オーディオアンプ
２１      信号受信接続孔
２２      信号送信接続孔
３１      硬性オス・オスコネクタ
３２      フレキシブルケーブル 
【図１】
0003197929.tif 000003
【図２】
0003197929.tif 000004
【図３】
0003197929.tif 000005
【図４】
0003197929.tif 000006
【手続補正書】
【提出日】平成27年3月31日(2015.3.31)
【手続補正１】
【補正対象書類名】実用新案登録請求の範囲
【補正対象項目名】全文
【補正方法】変更
【補正の内容】
【実用新案登録請求の範囲】
【請求項１】
オーディオアンプに接続するために用いる無線信号伝送装置であって、前記オーディオアンプが少なくとも１つの接続孔を備え、前記無線信号伝送装置が、
基板と、
前記基板上に設置され、オーディオ信号の送信または受信に用いるアンテナと、
前記基板上に設置され、かつ前記アンテナと電気的に接続され、前記オーディオ信号の送信または受信を制御するために用いる制御モジュールと、
前記制御モジュールに電気的に接続され、かつ前記オーディオアンプの前記少なくとも１つの接続孔に直接接続され、前記オーディオ信号の伝送に用いる少なくとも１つの信号伝送ポートと、を含み、
そのうち、前記無線信号伝送装置が前記少なくとも１つの信号伝送ポートと前記オーディオアンプの前記少なくとも１つの接続孔の連結によって、前記少なくとも１つの接続孔において支持されることを特徴とする、無線信号伝送装置。
【請求項２】
前記オーディオアンプが信号受信接続孔と信号送信接続孔を備え、前記無線信号伝送装置がさらに、
前記制御モジュールに電気的に接続され、かつ前記オーディオアンプの前記信号受信接続孔に直接接続され、前記オーディオ信号を前記オーディオアンプに伝送するために用いる第１信号伝送ポートと、
前記制御モジュールに電気的に接続され、かつ前記オーディオアンプの前記信号送信接続孔に直接接続され、前記オーディオアンプから前記オーディオ信号を受信するために用いる第２信号伝送ポートと、を含み、
そのうち、前記無線信号伝送装置が前記第１信号伝送ポートまたは前記第２信号伝送ポートのうち少なくとも１つの伝送ポートにより、前記オーディオアンプの前記信号受信接続孔または前記信号送信接続孔のうち少なくとも１つの接続孔に連結されて支持されることを特徴とする、請求項１に記載の無線信号伝送装置。
【請求項３】
レールを含み、前記第１信号伝送ポートが前記レール上に設置され、前記第１信号伝送ポートを摺動させることができることを特徴とする、請求項２に記載の無線信号伝送装置。
【請求項４】
前記第１信号伝送ポートと前記第２信号伝送ポートのいずれかがフレキシブルケーブルを備えたオスコネクタであることを特徴とする、請求項２に記載の無線信号伝送装置。
【請求項５】
前記第１信号伝送ポートまたは前記第２信号伝送ポートのいずれかが硬性のオス・オスコネクタにより前記オーディオアンプの前記信号受信接続孔または前記信号送信接続孔に接続されることを特徴とする、請求項２に記載の無線信号伝送装置。
【請求項６】
無線信号伝送装置を備えた音響システムであって、
少なくとも１つの接続孔を備えたオーディオアンプと、
前記オーディオアンプに電気的に接続するために用いられる無線信号伝送装置と、を含み、前記無線信号伝送装置が、
基板と、
前記基板上に設置され、オーディオ信号の送信または受信に用いるアンテナと、
前記基板上に設置され、かつ前記アンテナと電気的に接続され、前記オーディオ信号の送信または受信を制御するために用いる制御モジュールと、
前記制御モジュールに電気的に接続され、かつ前記オーディオアンプの前記少なくとも１つの接続孔に直接接続され、前記オーディオ信号の伝送に用いる少なくとも１つの信号伝送ポートと、を含み、
そのうち、前記無線信号伝送装置が前記少なくとも１つの信号伝送ポートと前記オーディオアンプの前記少なくとも１つの接続孔の連結によって、前記少なくとも１つの接続孔において支持されることを特徴とする、無線信号伝送装置を備えた音響システム。
【請求項７】
前記オーディオアンプが信号受信接続孔と信号送信接続孔を備え、前記無線信号伝送装置がさらに、
前記制御モジュールに電気的に接続され、かつ前記オーディオアンプの前記信号受信接続孔に直接接続され、前記オーディオ信号を前記オーディオアンプに伝送するために用いる第１信号伝送ポートと、
前記制御モジュールに電気的に接続され、かつ前記オーディオアンプの前記信号送信接続孔に直接接続され、前記オーディオアンプから前記オーディオ信号を受信するために用いる第２信号伝送ポートと、を含み、
そのうち、前記無線信号伝送装置が前記第１信号伝送ポートまたは前記第２信号伝送ポートのうち少なくとも１つの伝送ポートにより、前記オーディオアンプの前記信号受信接続孔または前記信号送信接続孔のうち少なくとも１つの接続孔に連結されて支持されることを特徴とする、請求項１に記載の無線信号伝送装置を備えた音響システム。
【請求項８】
前記無線信号伝送装置がさらにレールを含み、前記第１信号伝送ポートが前記レール上に設置され、前記第１信号伝送ポートを摺動させることができることを特徴とする、請求項７に記載の無線信号伝送装置を備えた音響システム。
【請求項９】
前記第１信号伝送ポートと前記第２信号伝送ポートのいずれかがフレキシブルケーブルを備えたオスコネクタであることを特徴とする、請求項７に記載の無線信号伝送装置を備えた音響システム。
【請求項１０】
前記第１信号伝送ポートまたは前記第２信号伝送ポートのいずれかが硬性のオス・オスコネクタにより前記オーディオアンプの前記信号受信接続孔または前記信号送信接続孔に接続されることを特徴とする、請求項７に記載の無線信号伝送装置を備えた音響システム。